(57)【特許請求の範囲】
【請求項１】
上部帯水層に流体的に連結された揚水井と、
上部帯水層と難透水性の地層を隔てて上部帯水層より下方の下部帯水層に流体的に連結され、少なくとも貯留される地下水の水位が揚水井より下方にある注入井と、
一端の揚水口を揚水井に貯留される地下水内に挿入し、他端の注入口を揚水井の水位より注入井内の下方の位置まで挿入したサイホン管と、
サイホンの作用でサイホン管に流れる地下水により回転するタービンを有する水力発電機とを備え、
サイホン管に流れる地下水の流量を注入井から下部帯水層に浸透する浸透量以下に調整し、注入井の地下水の水位を安定させることを特徴とする地下水を利用した発電システム。
【請求項２】
水力発電機は、水車軸回りに螺旋状羽根が取り付けられた螺旋水車と螺旋水車の水車軸に連結する発電機とからなり、
螺旋状羽根を地上に露出するサイホン管内に配置し、サイホン管に流れる地下水の運動エネルギーを電気エネルギーに変換することを特徴とする請求項１に記載の地下水を利用した発電システム。
【請求項３】
水力発電機は、注入井内のサイホン管の注入口と注入井に貯留される地下水の間に配設され、タービンが注入口から落下する地下水により回転することを特徴とする請求項１に記載の地下水を利用した発電システム。
【請求項４】
サイホン管に、サイホン管に流れる地下水の流量を調整する揚水量調整機構を備えたことを特徴とする請求項２又は請求項３に記載の地下水を利用した発電システム。
【発明の詳細な説明】
【技術分野】
【０００１】
本発明は、井戸に貯留される地下水をエネルギー媒体として発電する地下水を利用した発電システムに関し、更に詳しくは、複数の帯水層に分かれる地下水の位置エネルギー差を電気エネルギーに変換する地下水を利用した発電システムに関する。
【背景技術】
【０００２】
近年、安全性の問題から原子力発電による発電量が大幅に減少し、電力供給量が逼迫していることから、火力発電や水力発電の稼働率を上げてこれを補っている。しかしながら、火力発電は化石燃料を燃やし、水力発電は山間部に大規模なダムを建設することから、自然環境を損なうので、これらの発電方法を補う環境を損なわない他の発電システムが望まれている。
【０００３】
その一環として、自然界に存在する地下水を発電エネルギー媒体として利用した発電システムが研究されている。図４は、特許文献１により提案された発電システム１００を示し、地表から地盤内の帯水層１０１に達する井戸１０２を掘削し、井戸１０２内に、帯水層１０１から井戸１０２内に流入する地下水で回転するタービンを有するタービン発電機１０３と、井戸１０２に貯留される地下水を排出するポンプ１０４を配置している。
【０００４】
この従来の地下水を利用した発電システムは、地下水の水圧で井戸１０２内に流れ出す地下水の運動エネルギーを電気エネルギーに変換して発電するもので、地下水をくみ出すポンプ１０４を稼働させる電気エネルギーの一部若しくは全部が地下水の水圧を利用して還元される。
【０００５】
図４に示す発電システム１００において、帯水層１０１の水圧が地下水を地表に自噴させる以上の水圧であれば、井戸１０２内の地下水をくみ出すポンプ１０４は不要であり、地下水が噴出する運動エネルギーから効率よく発電することが可能であり、特許文献２によって、この自噴する地下水から発電する発電システムも提案されている。
【０００６】
また、図５は、上記特許文献２により提案された他の発電システム１１０を示し、地下水を汲み上げる井戸１１１内に、雨水や河川水等の自然水を導水する導水管１１２と、導水管１１２の下方に小型水力発電機１１３を設置している。この発電システム１１０では、地表の貯水タンク１１４に蓄えた自然水を導水管１１２を通して井戸１１１内に落下させ、自然水の位置エネルギーを電気エネルギーに変換して発電する。これにより、地下水を汲み出す既存の井戸１１１に、導水管１１２と小型水力発電機１１３を配置するだけで、発電することができる。
【０００７】
更に、帯水層に達し、地下水を汲み上げる井戸内に、使用後の生活雑水を排水する配水管を挿入して、配水管から井戸内に落下する生活雑水でタービンを回し、発電する発電システムも知られている（特許文献３）。
【先行技術文献】
【特許文献】
【０００８】
【特許文献１】特表２０１１−５１３６１５号公報
【特許文献２】特開２００１−１０７３４３９号公報
【特許文献３】特開２００２−１４６８５２号公報
【発明の概要】
【発明が解決しようとする課題】
【０００９】
特許文献１により開示されている地下水を利用した発電システム１００は、帯水層によって地下水の水圧にばらつきがあり、地下水の水圧によって発電システム１００で得られる発電電力に限界があるので、汎用性に欠ける。
【００１０】
加えて、井戸１０２内に流入する地下水を排出するために、ポンプ１０４を稼働させなければならず、ポンプ１０４を稼働させる電力が発電電力を超えてシステム全体では発電ができないか、可能であっても発電効率が極めて悪く、単独の発電システム１００としては実用性がないものであった。
【００１１】
また、特許文献２に記載の従来の発電システム１１０や特許文献３に記載の発電システムは、雨水や河川水等の自然水や生活雑水を利用するものであるので、設置場所によりその供給量に制約があり、安定した連続発電ができない。
【００１２】
更に、上記いずれの発電システムも、地下水をポンプで汲み上げる井戸を利用して設置されるものなので、発電電力は、ポンプを稼働させる電力として消費され、効率的な発電ができない。
【００１３】
また、上記いずれの発電システムも、水力発電機を地表から離れた井戸の底近くに配置する必要があるので、その設置が困難であると共に、発電電力を地上へ取り出すことも困難であった。
【００１４】
本発明は、このような従来の問題点を考慮してなされたものであり、設置場所を問わず、安定した連続発電が可能な地下水を利用した発電システムを提供することを目的とする。
【００１５】
また、揚水井に貯留される地下水を無電力で汲み上げて注入井内に注水することにより、発電効率を低下させずに発電する地下水を利用した発電システムを提供することを目的とする。
【課題を解決するための手段】
【００１６】
上述の目的を達成するため、請求項１の地下水を利用した発電システムは、上部帯水層に流体的に連結された揚水井と、上部帯水層と難透水性の地層を隔てて上部帯水層より下方の下部帯水層に流体的に連結され、少なくとも貯留される地下水の水位が揚水井より下方にある注入井と、一端の揚水口を揚水井に貯留される地下水内に挿入し、他端の注入口を揚水井の水位より注入井内の下方の位置まで挿入したサイホン管と、サイホンの作用でサイホン管に流れる地下水により回転するタービンを有する水力発電機とを備え、サイホン管に流れる地下水の流量を注入井から下部帯水層に浸透する浸透量以下に調整し、注入井の地下水の水位を安定させるたことを特徴とする。
【００１７】
サイホン管に水を充填すると、無電力で揚水井に貯留される地下水がサイホン管内を連続して流れ注入井内に注入される。注入井内に注入される地下水は、注入井を介して下部帯水層に還元され、注入井内の水位は、揚水井の水位を超えるまで上昇しない。
【００１８】
上部帯水層の地下水が枯渇しない限り、サイホン管に流れる地下水により水力発電機のタービンが回転し、連続した発電が可能となる。
【００１９】
請求項２の地下水を利用した発電システムは、水力発電機が、水車軸回りに螺旋状羽根が取り付けられた螺旋水車と螺旋水車の水車軸に連結する発電機とからなり、螺旋状羽根を地上に露出するサイホン管内に配置し、サイホン管に流れる地下水の運動エネルギーを電気エネルギーに変換することを特徴とする。
【００２０】
サイホン管に地下水が流れると、サイホン管内で螺旋状羽根が回転し、水車軸が回転することにより発電される。サイホン管を密にしてサイホンの作用を維持した状態で、サイホン管に流れる地下水の運動エネルギーを電気エネルギーに変換できる。
【００２１】
請求項３の地下水を利用した発電システムは、水力発電機が、注入井内のサイホン管の注入口と注入井に貯留される地下水の間に配設され、タービンが注入口から落下する地下水により回転することを特徴とする。
【００２２】
注入井の水位は、下部帯水層が深層であるほど揚水井の水位との高低差が大きくなり、注入口とタービン間により大きな落差が得られる。従って、注入井の深さにより、発電能力を調整できる。
【００２３】
請求項４の地下水を利用した発電システムは、サイホン管に、サイホン管に流れる地下水の流量を調整する揚水量調整機構を備えたことを特徴とする。
【００２４】
上部帯水層から揚水井に流入する地下水の流入速度と、注入井から下部帯水層へ還元される地下水の排出速度に応じて、揚水量調整機構によりサイホン管に流れる地下水の流量を調整できる。
【発明の効果】
【００２５】
請求項１の発明によれば、上部帯水層に達する揚水井の水位と下部帯水層に達する注入井の水位の高低差による地下水の位置エネルギーを利用して発電するので、サイホン作用で地下水を吸い上げることが可能な深さに上部帯水層が存在するほぼ全ての地域において、上部帯水層に達する揚水井と下部帯水層に達する注入井を設けるだけで発電が可能となる。
【００２６】
また、地下水を汲み上げるポンプを要せず、無電力でサイホン管内に連続して地下水を流すことができるので、発電効率が低下しない。
【００２７】
請求項２の発明によれば、水力発電機の螺旋状羽根を地上に露出するサイホン管内に配置するので、水力発電機を地表で簡単に設置することができ、水力発電機で発電した電力を容易に配電できる。
【００２８】
請求項３の発明によれば、注入井の深さを深くすることにより、より大きな発電電力が得られる。
【００２９】
請求項４の発明によれば、上部帯水層から揚水井に流入する地下水の流入速度と、注入井から下部帯水層へ還元される地下水の排出速度に応じて、サイホン管に流れる地下水の流量を調整できるので、揚水井と注入井の水位を制御し、サイホン管内に常に地下水を密に充填させておくことができ、サイホン作用の停止を防止できる。
【図面の簡単な説明】
【００３０】
【図１】本発明の第１実施の形態に係る地下水を利用した発電システム１を示す断面図である。
【図２】本発明の第２実施の形態に係る地下水を利用した発電システム５０を示す断面図である。
【図３】地質柱状図に検層結果を示した地盤構造図である。
【図４】従来の地下水を利用した発電システム１００を示す断面図である。
【図５】従来の他の発電システム１１０を示す断面図である。
【発明を実施するための形態】
【００３１】
以下、本発明の第１実施の形態に係る地下水を利用した発電システム（以下、発電システムという）１を、図１と図３を用いて説明する。本発明は、地盤の上部帯水層と下部帯水層にそれぞれ飽和して存在する地下水の位置エネルギー差に着目し、これを電気エネルギーに変換して発電するものである。
【００３２】
地盤の地下構造は、粘土層などの難透水性の地層が上下に所定の間隔を隔てて積層されることによって、その間に地下水が飽和して存在する帯水層が上下の多層に分かれて形成されている。例えば、図３で茨城県西地区の地盤を検層した検層結果を示すように、家庭用の井戸水として用いられる地下５乃至１０ｍ付近の第１帯水層ＡＱ１の下方に、地下２５０ｍ付近まで第２帯水層ＡＱ２から第７帯水層ＡＱ７の６層の帯水層が存在している。
【００３３】
本実施の形態にかかる発電システム１では、図１に示すように、揚水井（揚水井戸）２を地表から地下５乃至１０ｍ付近に存在する上部帯水層である第１帯水層ＡＱ１に達するまで掘削するとともに、その近傍に、注入井（注入井戸）３を、第１帯水層ＡＱ１より下方の下部帯水層である地表から地下２０ｍ付近に存在する第２帯水層ＡＱ２に達するまで掘削している。
【００３４】
揚水井２は、ここでは直径３００ｍｍの円筒形の縦孔を第１帯水層ＡＱ１に交差するまで掘削し、その縦孔の中心軸に沿って有底円筒形のケーシング管２１（図中上方の一部を破断し内部を示している）を配設している。ケーシング管２１と縦孔との間には７５ｍｍ程度の空隙が形成され、空隙の下方は珪砂等からなるろ過砂利２２で、上方は遮水材２３で埋められている。
【００３５】
ケーシング管２１の第１帯水層ＡＱ１と交差する下部には第１帯水層ＡＱ１の地下水をケーシング管２１内に流入させる窓孔が穿設され、その窓孔をスクリーンネット２４で覆うことにより、地下水とともに、ろ過砂利２２や異物がケーシング管２１内に混入しないようにしている。
【００３６】
揚水井２のケーシング管２１の窓孔が第１帯水層ＡＱ１で開口することにより、第１帯水層ＡＱ１に存在する地下水がケーシング管２１内に流入し、第１帯水層ＡＱ１の地下水が揚水井２内に貯留される。揚水井２内の地下水の水位ＷＬ１は、第１帯水層ＡＱ１の地下水のポテンシャル状態により異なり、ポテンシャルが高い被圧地下水である場合には、第１帯水層ＡＱ１の上部境界より高い水位ＷＬ１となっている。
【００３７】
また、同様に注入井３は、直径４５０ｍｍの円筒形の縦孔を第２帯水層ＡＱ２に交差するまで掘削し、その縦孔の中心軸に沿って有底円筒形のケーシング管３１（図中上方の一部を破断し、内部を図示しいる）を配設している。ケーシング管３１と縦孔との間にも同様に７５ｍｍ程度の空隙が形成され、空隙の底から上方に２５ｍ程度までをろ過砂利３２で、残るその上方を遮水材３３で埋めている。
【００３８】
ケーシング管３１の第２帯水層ＡＱ２と交差する部位には、スクリーンネット３４で覆われた窓孔が穿設され、ろ過砂利３２や異物を混入させずに、ケーシング管３１内と第２帯水層ＡＱ２が流体的に連結されるようにしている。帯水層に飽和する地下水のポテンシャルは、その帯水層が地下の下方に存在するほど高くなることが多く、ここでは初期状態で、第２帯水層ＡＱ２に飽和する地下水がケーシング管３１の窓孔から流入し、注入井３に貯留される地下水の水位は、第２帯水層ＡＱ２の上部境界より高い水位ＷＬ３となっている。
【００３９】
このように、それぞれの帯水層に飽和して存在する地下水のポテンシャルは、その周囲の地層や地形により異なり、帯水層から地下水が流入する井戸の水位も季節要因などで個々に変動するが、一般に、上下に分かれた帯水層から地下水を流入させた各井戸の水位が逆転することは極めて希であり、上部帯水層に流体的に連結する揚水井２の水位ＷＬ１は、下部帯水層に流体的に連結する注入井３の水位ＷＬ３より上方に位置している。
【００４０】
水位が異なる揚水井２と注入井３との間にはサイホン管４が掛け渡され、一端の揚水口４ａを揚水井２に貯留された地下水内に、他端の注入口４ｂを注入井３に貯留された地下水内にそれぞれ挿入している。従って、サイホン管４内に一定量の水を満たせば、その後、サイホン作用により無電力で、揚水井２内の地下水がサイホン管４を流れて注入井３内に注入される。
【００４１】
サイホン作用によりサイホン管４を通して揚水井２から注入井３へ地下水が流れると、図１に示すように、揚水井２の水位は、水位ＷＬ１から水位ＷＬ２に低下し、注入井３の水位は、水位ＷＬ３から水位ＷＬ４に上昇する。一方、井戸に貯留される地下水の水位は、その井戸が流体的に連結する帯水層に飽和する地下水の水圧とのバランスが取れた位置にあるので、水位が変動するとこれを戻すように、帯水層の地下水が井戸内を流入する。すなわち、揚水井２では、水位が低下して第１帯水層ＡＱ１の地下水のポテンシャル（水圧）以下となるので、第１帯水層ＡＱ１から揚水井２内に地下水が流入し、水位ＷＬ２で安定する。逆に、注入井３では、注入井３の水位が上昇するので、第２帯水層ＡＱ２の地下水のポテンシャル以上となり、注入井３に貯留される地下水が窓孔から第２帯水層ＡＱ２へ浸透し、水位ＷＬ４で安定する。
【００４２】
揚水井２への地下水の流入速度と、注入井３から第２帯水層ＡＱ２への浸透速度は、主として各第１帯水層ＡＱ１と第２帯水層ＡＱ２の透水性に依存して異なるが、注入井３の浸透速度を揚水井２の流入速度と同等若しくはそれ以上の速度とすることは、注入井３の窓孔の大きさを変えたり、上部帯水層の下方に存在する多数の帯水層から、透水性に優れた帯水層を選択することにより充分に可能である。
【００４３】
また、仮に揚水井２の流入速度が注入井３の浸透速度を上回る場合であっても、後述するように、サイホン管４に流れる流量を揚水量調整機構５を用いて、注入井３の浸透速度に合わせることにより、注入井３の水位ＷＬ４を安定させることができる。
【００４４】
サイホンの作用でサイホン管４に連続して地下水を流すためには、（１）大気圧で揚水井２の地下水を地表まで汲み上げることから、揚水井２の水位ＷＬ２から地表までの揚程（水位ＷＬ２までの深さ）が１０．３ｍ以下であること、（２）揚水井２の水位ＷＬ２より、サイホン管４の注入口４ｂと注入井３の水位ＷＬ４が低いこと、の２条件を満たすことが必要となる。このうち、揚水井２の水位ＷＬ２と注入井３の水位ＷＬ４は、サイホン管４に流れる地下水の流量が一定の流量を超えると変動する。すなわち、サイホン管４に流れる流量が、揚水井２への地下水の流入量を超えると、揚水井２の水位ＷＬ２は減少し、注入井３から第２帯水層ＡＱ２へ浸透される浸透量を超えると、注入井３の水位ＷＬ４は上昇する。
【００４５】
そこで、本発電システム１では、図１に示すように、サイホン管４の地表に配管されている部分に流量調整バルブを有するサイホン装置５をサイホン管４内を外部と遮断した状態に保ったまま接続している。これにより、揚水井２の水位ＷＬ２と注入井３の水位ＷＬ４を安定させて、サイホン管４に最大の流量となるように、サイホン装置５の流量調整バルブで流量を調整する。また、サイホン装置５には、図示しない注入栓が備えられ、発電システム１の初期稼働時に、注入栓からサイホン管４内に誘い水を注入してサイホン管４内を水密にし、サイホンの作用を開始させている。
【００４６】
サイホン管４の地表に配管されている部分には、更に、サイホン管４に流れる地下水の運動エネルギーを電気エネルギーに変換する水力発電機６が設置されている。図１に示すように、サイホン管４内を外部と遮断した状態でタービンを回転させる必要があることから、本システム１では、タービンに螺旋水車６ａを用いたマイクロ水力発電機６を用いている。
【００４７】
マイクロ水力発電機６は、図示するように、回転軸６ｂ回りに螺旋状の羽根が取り付けられた螺旋水車６ａと、回転軸６ｂの回転から発電する発電機６ｃとで構成される。螺旋水車６ｂが配置されるサイホン管４の部分は、回転軸６ｂ回りに回転する螺旋水車６ａと干渉しないようにやや太幅に形成されている。回転軸６ｂの一側は、この太幅となったサイホン管４の上流側（揚水井２側）で回転自在に支持され、他側は、サイホン管４が注入井３に向かって下方に屈曲する部分を所定のシール手段を介して挿通し、この挿通部位で回転自在に支持され、これにより回転軸６ｂは、サイホン管４の中心軸方向に沿って回転自在に配置される。サイホン管４内から突出した回転軸６ｂの部位は、発電機６ｃに連結し、回転軸６ａの回転により発電される。
【００４８】
このように構成された発電システム１では、第１帯水層ＡＱ１で保水されている地下水が枯渇しない限り、サイホンの作用によってサイホン管４に地下水が流れ、螺旋水車６ａと一体の回転軸６ｂが回転することにより、連続して発電される。
【００４９】
上述の発電機６ｃは、地表に配管されるサイホン管４の延長方向に配置しているが、回転軸６ｂの回転を一対のかさ歯車を噛み合わせて回転軸６ｂと交差する軸方向に変換し、その延長方向に発電機を配置してもよい。
【００５０】
また、サイホン管４に設置する水力発電機６としては、特開２００８−８８８９６号等に記載されている自己サイホン形水車発電機のように、起動時にサイホン作用を形成できる水力発電機であってもよい。
【００５１】
この第１実施の形態に係る発電システム１では、水力発電機６を地表に設置できるので、その設置や発電電力の出力、メンテナンスが容易であり、形状や大きさの制約を受けない。しかしながら、サイホン管４に流れる地下水でタービンを回転させることが可能であれば、地表に限らず、サイホン管４内にいずれの位置に設置してもよく、更に、注入井内のサイホン管４の注入口４ｂの下方に設置することもできる。
【００５２】
以下、注入井５１内に水力発電機５２を設置した本発明の第２実施の形態に係る地下水を利用した発電システム（以下、単に発電システムという）５０を図２と図３を用いて説明する。発電システム５０は、第１実施の形態に係る発電システム１と、水力発電機の構成とその取り付け位置、注入井３を掘削する深さが異なるのみであるので、発電システム１と同一若しくは相当する構成については同一番号を付して、その説明を省略する。
【００５３】
この発電システム５０では、注入井５１を、第２帯水層ＡＱ２より更に下方の地表から地下７０ｍ付近に存在する第３帯水層ＡＱ３に達するまで掘削している。サイホン管４の注入口４ｂは、揚水井２の水位ＷＬ２より下方にあれば、注入井５１内のいずれの高さにあってもよいが、ここでは、注入口４ｂを地表から１０ｍほどの深さとして、注入口４ｂから揚水井２内の地下水を落下させている。
【００５４】
図示するように、第２帯水層ＡＱ２より注入井５１内に貯留される地下水の水位ＷＬ４が地表から５０ｍほどの深さにあるとして、その上方に水車発電機からなる水力発電機５２が設置されている。水車発電機５２は、発電機Ｇに連結する回転軸５２ｂをケーシング管５３に形成した窓孔内に枢支し、水車５２ａのほぼ半分をケーシング管５３内に露出させた構造となっている。
【００５５】
この第２実施の形態に係る発電システム５０では、注入口４ｂが注入井５１に貯留される地下水内にないので、注入口５１から落下する地下水により水車発電機５２の水車５２ａが回転し、高低差３０ｍ以上の地下水の位置エネルギーが電気エネルギーに変換される。従って、この発電システム５０では、第１実施の形態の発電システム１に比べて、大きな電力を発電でき、注入井５１をより深く掘削することにより発電する電力を増大させることができる。
【００５６】
上述の各実施の形態にかかる発電システム１、５０に示すように、発電に利用して注入井３、５１に注入される地下水は揚水ポンプなどで排出することなく、下部帯水層に自然に浸透することにより、その水位ＷＬ４が一定に保たれる。従って、揚水ポンプを稼働させないので発電効率を低下させることなく連続した発電が可能となる。
【００５７】
また、上述の実施の形態では、サイホン管４の一部を地表で配管しているので、揚水井２が流体的に連結する上部帯水層は、その水位ＷＬ２が地表から１０．３ｍ以下となる最上部帯水層に限られるが、地表に表れるサイホン管４を地下に埋設することによって、１０．３ｍ以下の揚程を保ちつつ、上部帯水層を地表よりより深い第２帯水層ＡＱ２等を上部帯水層とすることもできる。
【００５８】
また、サイホン管４は、一組の揚水井２と注入井３、５１間に配管される例で説明したが、１又は２以上の揚水井２と１又は２以上の注入井３、５１間に共通のサイホン管４を配管し、揚水井２に貯留される地下水を共通のサイホン管４を介して注入井３、５１へ注入するものであってもよい。揚水井２若しくは注入井３、５１を複数とすることにより、サイホン管４に流れる地下水の水量が増量し、発電量を増加させることができる。
【産業上の利用可能性】
【００５９】
本発明は、地盤の上下の多層に分かれた帯水層に飽和する地下水の位置エネルギー差を利用して発電する発電システムに適している。
【符号の説明】
【００６０】
１、５０  地下水を利用した発電システム
２        揚水井
３、５１  注入井
４        サイホン管
４ａ      揚水口
４ｂ      注入口
５        サイホン装置（揚水量調整機構）
６、５２  水力発電機
【図１】
0005885430.tif 000002
【図２】
0005885430.tif 000003
【図３】
0005885430.tif 000004
【図４】
0005885430.tif 000005
【図５】
0005885430.tif 000006